(57)【要約】【課題】棹の表面部分におけるキズや凹みの発生を抑制することが可能な三味線を提供する。【解決手段】本考案による三味線１００の棹１２０は、本体部１２２と表面部１２３とによって構成されている。表面部１２３は、本体部１２２の上に配置され、本体部１２２と一体となって棹１２０を構成する部材であって、スネークウッドによって構成されている。スネークウッドは、硬度・耐摩耗性に優れているので、従来の三味線に比べて、棹の表面部分におけるキズ等の発生を抑制することが可能となる。【選択図】図１
0003203979.tif 000002
【実用新案登録請求の範囲】
【請求項１】
表面部と本体部とから構成される棹を備え、
前記表面部は、スネークウッドによって構成されている
ことを特徴とする三味線。
【請求項２】
前記表面部は、平板状の形状を有する
ことを特徴とする請求項１に記載の三味線。
【請求項３】
前記本体部は、花梨によって構成されている
ことを特徴とする請求項１又は２に記載の三味線。
【考案の詳細な説明】
【技術分野】
【０００１】
本考案は、三味線に関する。
【背景技術】
【０００２】
図３は、従来の三味線の構成を説明するための図である。
【０００３】
同図に示すように、従来の三味線３００は、先端部に位置する天神３１０と、中間部に位置する棹３２０と、後端部に位置する胴３３０とから構成され、天神３１０に取り付けられた３つの糸巻き３１１と、胴３３０の後端部から突出する中子先（なかごさき）３２１に取り付けられた根緒３４０との間に、３本の糸（弦）３５０が張られるようになっている。そして、胴３３０の一方の面に張られた表皮３３１と、３本の糸３５０との間に駒３６０を配置した状態において、３本の糸３５０を撥（ばち）で弾くことで演奏がされる。駒３６０は、３本の糸３５０を、一定の高さに持ち上げると共に、３本の糸３５０の振動を胴３３０に張られた表皮３３１に伝えるためのものである。胴３３０は、４枚の丸みを帯びた板を組み合わせて構成される木枠の両面に一対の皮が張られた太鼓状の構造を有するものであって、表皮３３１の上に置かれた駒３６０を介して伝達される糸３５０の振動を共鳴させて、大きな音を出す働きをする。
【０００４】
ところで、従来の三味線３００においては、演奏を繰り返すうちに、糸３５０と棹３２０の表面部分が擦れて、棹３２０の表面部分（勘所部分）にキズや凹みができてしまうことがあり、キズや凹みが深くなると、正しい音程が押さえられなくなったり音が伸びなくなったりする等の問題があった。
【考案の概要】
【考案が解決しようとする課題】
【０００５】
本考案の目的は、棹の表面部分におけるキズや凹みの発生を抑制することが可能な三味線を提供することにある。
【課題を解決するための手段】
【０００６】
本考案に係る三味線は、表面部と本体部とから構成される棹を備え、前記表面部は、スネークウッドによって構成されていることを特徴とする。
【０００７】
この場合、前記表面部は、平板状の形状を有するようにしてもよい。
【０００８】
また、以上の場合において、前記本体部は、花梨によって構成されているようにしてもよい。
【考案の効果】
【０００９】
本考案によれば、棹の表面部分におけるキズ等の発生を抑制することが可能となる。
【図面の簡単な説明】
【００１０】
【図１】本考案による三味線の構成を説明するための図である。
【図２】棹の構成を説明するための図である。
【図３】従来の三味線の構成を説明するための図である。
【考案を実施するための形態】
【００１１】
以下、本考案の実施の形態について、図面を参照しつつ詳細に説明する。
【００１２】
図１は、本考案による三味線の構成を説明するための図である。
【００１３】
同図に示すように、本考案による三味線１００は、先端部に位置する天神１１０と、中間部に位置する棹１２０と、後端部に位置する胴１３０とから構成され、天神１１０に取り付けられた３つの糸巻き１１１と、胴１３０の後端部から突出する中子先１２１に取り付けられた根緒１４０との間に、３本の糸（弦）１５０が張られるようになっている。そして、胴１３０の一方の面に張られた表皮１３１と、３本の糸１５０との間に駒１６０を配置した状態において、３本の糸１５０を撥で弾くことで演奏がされる。
【００１４】
本考案による三味線１００と、図３に示した従来の三味線３００とでは、棹１２０の構成が異なっている。すなわち、本考案による三味線１００の棹１２０は、本体部１２２と表面部１２３とによって構成されている。
【００１５】
図２は、棹１２０の構成を説明するための図である。
【００１６】
同図に示すように、棹１２０は、本体部１２２の上に、棹１２０の面（つら）を構成する表面部１２３を貼り付けたような構成を有している。
【００１７】
本体部１２２は、棹１２０の主要部を構成する部材であり、本実施形態においては、花梨（かりん）によって構成されている。
【００１８】
表面部１２３は、本体部１２２の上に配置され、本体部１２２と一体となって棹１２０を構成する部材であって、スネークウッドによって構成されている。また、表面部１２３は、概ね、細長い平板状の形状を有し、本実施形態においては、接着剤によって、本体部１２２の上面に接合されている。
【００１９】
図２に示すように、表面部１２３の厚みｔは、本体部１２２の厚みＴより、薄くなるように形成されている。本実施形態においては、表面部１２３の厚みｔは、５ｍｍ程度、本体部１２２の厚みＴは、２５〜３０ｍｍ程度に形成されている。
【００２０】
三味線１００では、棹１２０を本体部１２２と表面部１２３とによって構成し、表面部１２３をスネークウッドで構成するようにしている。スネークウッドは、硬度・耐摩耗性に優れた硬木で、三味線の材料として一般的な花梨の１．５３倍、黒檀（こくたん）の１．２８倍、紫檀（したん）の１．３０倍、紅木（こうき）の１．２５倍の硬さを有している。そのため、従来の三味線に比べて、棹の表面部分におけるキズ等の発生を抑制することが可能となっている。
【００２１】
また、三味線１００では、スネークウッドで構成する表面部１２３を、薄い平板状に形成しているので、表面部１２３を構成するスネークウッド材を充分乾燥させることができ、乾燥された環境におかれた場合においても細かなひび割れの発生を抑制することが可能となっている。
【００２２】
更に、表面部１２３のみをスネークウッドで構成し、本体部１２２を花梨で構成しているので、棹１２０全体をスネークウッド単体で構成するようにした場合に比較して、三味線１００の重量を軽くすることができると共に、大きな音量が得られるようになっている。
【００２３】
また、本体部１２２を（相対的に）柔らかい花梨で構成し、表面部１２３を（相対的に）硬いスネークウッドで構成しているので、棹１２０全体を花梨単体で構成した場合に比較して、音色に芯ができて、全体としての音質を向上させることができるようになっている。
【００２４】
なお、上述した実施形態においては、棹１２０に合わせて、天神１１０の後側部分（棹１２０側の部分）の表面側にも、スネークウッドで構成された部材を貼り付けるようにしている。
【００２５】
以上、本考案の実施形態について説明してきたが、当然のことながら、本考案の実施形態は上記のものに限られない。例えば、上述した実施形態においては、本体部１２２を花梨で構成するようにしていたが、他の材料（例えば、樫、桜、桑等）で構成することも考えられる。
【符号の説明】
【００２６】
１００，３００    三味線
１１０，３１０    天神
１１１，３１１    糸巻き
１２０，３２０    棹
１２１，３２１    中子先
１２２    本体部
１２３    表面部
１３０，３３０    胴
１３１，３３１    表皮
１４０，３４０    根緒
１５０，３５０    糸
１６０，３６０    駒
【図１】
0003203979.tif 000003
【図２】
0003203979.tif 000004
【図３】
0003203979.tif 000005